(57)【要約】【課題】必要最低限のトンボのみを印刷して、断裁結果物にトンボが残ることを効果的に防止できなかった。【解決手段】印刷データ生成装置であって、印刷すべき文書データについて断裁目印の位置制御を行うか否かの設定を受け付け、該印刷すべき文書データの面付け設定の種類を判定し、位置制御を行うとの設定に応じて、判定結果に基づき、印刷すべき文書データが配置される用紙での断裁目印の位置を決定する。該決定された断裁目印の位置に従って、印刷データを生成すべく、該断裁目印を表す描画データを生成し、文書データから印刷データを生成する。なお、断裁目印を表す描画データは、断裁される用紙群の先頭の用紙に対して断裁目印が付加され、先頭とならない用紙に対して断裁目印が付加されないように生成される。【選択図】図１
2011170872.tif 000002
【特許請求の範囲】
【請求項１】
先頭ページが印刷される用紙に対して断裁用のトンボと、該断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成する生成手段を備えることを特徴とするデータ処理装置。
【請求項２】
前記断裁用のトンボとは異なるトンボは、折り位置を示すトンボ、及び、ページの中央を示すセンタートンボであることを特徴とする請求項１に記載のデータ処理装置。
【請求項３】
先頭用紙にトンボをつけることが指定された場合、前記生成手段は、先頭ページが印刷される用紙に対して前記断裁用のトンボと前記断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成することを特徴とする請求項１または２に記載のデータ処理装置。
【請求項４】
生成手段が、先頭ページが印刷される用紙に対して断裁用のトンボと、該断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成する生成工程を備えることを特徴とするデータ処理装置の制御方法。
【請求項５】
前記断裁用のトンボとは異なるトンボは、折り位置を示すトンボ、及び、ページの中央を示すセンタートンボであることを特徴とする請求項４に記載のデータ処理装置の制御方法。
【請求項６】
先頭用紙にトンボをつけることが指定された場合、前記生成工程では、先頭ページが印刷される用紙に対して前記断裁用のトンボと前記断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成することを特徴とする請求項４または５に記載のデータ処理装置の制御方法。
【請求項７】
コンピュータに、先頭ページが印刷される用紙に対して断裁用のトンボと、該断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成する生成手順を実行させることを特徴とする、プログラム。
【請求項８】
前記断裁用のトンボとは異なるトンボは、折り位置を示すトンボ、及び、ページの中央を示すセンタートンボであることを特徴とする請求項７に記載のプログラム。
【請求項９】
先頭用紙にトンボをつけることが指定された場合、前記生成手順では、先頭ページが印刷される用紙に対して前記断裁用のトンボと前記断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成することを特徴とする請求項７または８に記載のプログラム。
【発明の詳細な説明】
【技術分野】
【０００１】
本発明は、データ処理装置及びその制御方法、コンピュータプログラムに関する。
【背景技術】
【０００２】
画像データやＰＤＦ（Ｐｏｒｔａｂｌｅ  Ｄｏｃｕｍｅｎｔ  Ｆｏｒｍａｔ）等のベクタフォーマットの原稿を入力し、印刷向けにレイアウトする面付けアプリケーションがある。このような面付けアプリケーションでは、例えば、Ａ５サイズの原稿をＡ３ノビ用紙へと４面付けし、用紙を断裁することで１枚の用紙を４枚の仕上がり用紙を得ることができる。このような場合は、印刷後の断裁工程に備えて断裁の目印となるトンボを合わせてレイアウトしている。
【０００３】
単純に同一のページを並べて断裁するだけでなく、用紙の中央部を折って中綴じする場合や、更にもう一回、２回と折って４つ折りや８つ折りにする場合もあり、その場合は原稿の周囲３方を断裁するためにトンボを印字する。トンボにしたがって断裁することで所望の仕上がりの用紙を得る事ができる（例えば、特許文献１）。
【先行技術文献】
【特許文献】
【０００４】
【特許文献１】特開２００３−３１２０８３号公報
【発明の概要】
【発明が解決しようとする課題】
【０００５】
複数枚の印刷用紙を同時に断裁する場合や、印刷用紙を折り処理して三方断裁するような場合は、断裁時に用紙がずれてしまうことがある。このため、通常、断裁前の印刷用紙に、断裁工程のズレを考慮したマージンを用意している。このマージンはドブまたは塗り足し幅と呼ばれることも有る。トンボの位置を仕上がりサイズよりもこのドブの分外側に隙間をあけて印刷する事で断裁時のずれがあってもトンボが残らないようにしている。
【０００６】
断裁は一枚一枚カットするのではなく、複数の用紙を重ねてまとめて断裁するので、実際には１枚目の用紙にだけトンボがあればよいのだが、全ての位置に印字している。このため、ドブ領域の幅が狭くトンボ位置が仕上がりサイズに近い位置に配置されている場合、印刷工程における位置ずれなどによって断裁後の印刷物上にトンボが残ってしまう可能性がある。
【０００７】
折りを伴うような工程の場合では、印刷時の位置ずれだけではなく、折り位置のズレが加わってより大きなズレになる事が有る。断裁位置はドブのマージンに納まっていた場合でも、折りのズレが加わることでトンボが残ってしまうようなページが発生する可能性がより高くなる。このようなズレは、断裁処理や折り処理をオフラインフィニッシャを用いる場合に起こりえる。なぜなら、印刷装置で印刷された印刷物を、人手でオフラインフィニッシャに運び、断裁工程や折り工程を行うための位置に印刷物を載せる必要があるためである。
【０００８】
このように、従来は、すべての印刷用紙または、折り処理が必要な印刷用紙中のすべての面に対してトンボが付加されているため、断裁工程でのズレや、折り工程でのズレを要因として、断裁後の印刷物にトンボ等の不必要な情報が印刷内容として残ってしまうおそれがある。
【０００９】
本願発明は、断裁工程で必要な面（ページ）を判定し、判定された面（ページ）に対して断裁位置の目印を付加して印刷させる仕組みを提供することを目的とする。
【課題を解決するための手段】
【００１０】
上記課題を解決するための本発明は、データ処理装置であって、先頭ページが印刷される用紙に対して断裁用のトンボと、該断裁用のトンボとは異なるトンボとの両方が印刷され、先頭ページとは異なるページが印刷される用紙に対して前記断裁用のトンボが印刷されずに前記断裁用のトンボとは異なるトンボが印刷されるような印刷データを生成する生成手段を備えることを特徴とする。
【発明の効果】
【００１１】
本願発明によれば、断裁後の印刷物に不要な情報を残さずに仕上がり印刷物を得ることができる。
【図面の簡単な説明】
【００１２】
【図１】本発明の実施形態に対応する文書処理システムのソフトウェア構成の一例を示すブロック図である。
【図２】本発明の実施形態に対応する文書処理システムのハードウェア構成の一例を示すブロック図である。
【図３】本発明の実施形態に対応するブックファイルの構造の一例を示す概略図である。
【図４】本発明の実施形態に対応するブック構成情報３０１の構造の一例を示す図である。
【図５】本発明の実施形態に対応するブック設定情報の一例を示す図である
【図６】本発明の実施形態に対応する章設定情報の一例を示す図である。
【図７】本発明の実施形態に対応するページ設定情報の一例を示す図である。
【図８】本発明の実施形態に対応するブックファイルを開く手順の一例を示すフローチャートである。
【図９】本発明の実施形態に対応する新規のブックファイルを開いた際のユーザインタフェース画面の一例を示す図である。
【図１０】本発明の実施形態に対応する既存のブックファイルを開いた際のユーザインタフェース画面の一例を示す図である。
【図１１】本発明の実施形態に対応する電子原稿ファイルをブックファイルにインポートする手順の一例を示すフローチャートである。
【図１２】本発明の実施形態に対応するジョブチケットのデータ構造の例を示す図である。
【図１３】本発明の実施形態に対応する製本アプリケーション１０４の「文書の詳細設定」ウインドウ１３００を示す図である。
【図１４】本発明の実施形態に対応する製本アプリケーション１０４の「章の詳細設定」ウインドウ１４００を示す図である。
【図１５】図１４のウィンドウ１４００において固有属性の設定を行った例を示す図である。
【図１６】本発明の実施形態に対応する製本アプリケーション１０４の「ページの詳細設定」ウインドウ１６００を示図である。
【図１７】図１６のウインドウ１６００の「ページの詳細設定」でPage Rotation（ページ回転）１６０４の設定を変更した状態を示す図である。
【図１８】本発明の実施形態に対応する章やページに固有の設定を行った場合のアプリケーションの表示例を示す図である。
【図１９】面付けの例を示す図である。
【図２０】ペラ面付けでトンボを印字した例を示す図である。
【図２１】中綴じ製本の面付けでトンボを印字した例を示す図である。
【図２２】４つ折りの面付けでトンボを印字した例を示す図である。
【図２３】従来技術におけるトンボの印字例を示す図である。
【図２４ａ】、
【図２４ｂ】、
【図２４ｃ】従来技術の課題を説明するための図である。
【図２５】本発明の実施形態に対応するトンボの印字の一例を示す図である。
【図２６】本発明の実施形態に対応する中綴じ製本の面付けにトンボを印字した例を示す図である。
【図２７】本発明の実施形態に対応する四つ折り製本の面付けにトンボを印字した例を示す図である。
【図２８ａ】、
【図２８ｂ】本発明の実施形態に対応するＧＵＩの例を示す図である。
【図２９】本発明の実施形態に対応するトンボを１シートにのみ印字する場合の課題を説明するための図である。
【図３０】本発明の実施形態に対応するＮ部毎にトンボを印字する例を示す図である。
【図３１】本発明の実施形態に対応する図３０の出力設定を行うためのＧＵＩの一例を示す図である。
【図３２】本発明の実施形態に対応するトンボの印字位置決定処理の一例を示すフローチャートである。
【図３３ａ】図３２のステップＳ３２０９における中綴じ１ページ目トンボ位置決定処理の一例を示すフローチャートである。
【図３３ｂ】図３３ａのフローチャートを補足するための、左右開きの場合の断裁トンボの位置の例を示す図である。
【図３３ｃ】図３３ａのフローチャートを補足するための、上下開きの場合の断裁トンボの位置を示す図である。
【図３４ａ】図３２のステップＳ３２１０における折り丁１ページ目トンボ位置決定処理の一例を示すフローチャートである。
【図３４ｂ】図３４ａのフローチャートの説明を補足するための図である。
【図３５】図３２のステップＳ３２１０における折り丁１ページ目トンボ位置決定処理の他の一例を示すフローチャートである。
【図３６】本発明の実施形態に対応する周期的にトンボを印字する場合の処理概略を説明するフローチャートである。
【図３７】本発明の実施形態に対応するトンボを印字した場合の出力の他の例を示す図である。
【図３８】本発明の第２の実施形態に対応する出力結果の一例を示す図である。
【図３９】本発明の第２の実施形態に対応する出力結果の他の一例を示す図である。
【図４０】本発明の第２の実施形態に対応する出力結果の更に他の一例を示す図である。
【図４１】本発明の第２の実施形態に対応する、制御対象となるトンボのセットの一例を示す図である。
【図４２】本発明の第２の実施形態に対応する、制御対象となるトンボのセットの他の一例を示す図である。
【図４３】本発明の第２の実施形態に対応する、制御対象となるトンボのセットの更に他の一例を示す図である。
【発明を実施するための形態】
【００１３】
以下、添付図面に従って、本発明の実施形態を詳細に説明する。
【００１４】
［第１の実施形態］
本発明の第１の実施形態である文書処理システムの概要を、図１〜図１３を参照して説明する。この文書処理システムでは、一般アプリケーションにより作成されたデータファイルが、電子原稿ライタによって電子原稿ファイルに変換される。製本アプリケーションはその電子原稿ファイルを編集する機能を提供している。尚、本例では、それぞれの機能が明瞭になるように、一般アプリケーション、電子原稿ライタ、製本アプリケーション、電子原稿デスプーラと分離して示している。しかし、ユーザに提供されるパッケージはこれらに限定されず、これらを組み合わせたアプリケーションやグラフィックエンジンとして提供されてもよい。以下、その詳細は説明する。
【００１５】
＜ソフトウェア構成例＞
図１は、本実施形態の文書処理システムのソフトウェア構成を示す図である。文書処理システムは、本発明の文書処理装置（情報処理装置）の好適な実施形態であるデジタルコンピュータ１００（以下、ホストコンピュータとも呼ばれる）によって実現されている。一般アプリケーション１０１は、ワードプロセシングやスプレッドシート、フォトレタッチ、ドローあるいはペイント、プレゼンテーション、テキスト編集などの機能を提供するアプリケーションプログラムであり、ＯＳに対する印刷機能を有している。
【００１６】
これらアプリケーションは、作成された文書データや画像データなどのアプリケーションデータを印刷するにあたって、オペレーティングシステム（以下ＯＳと呼ぶ）により提供される所定のインタフェース（一般に、ＧＤＩと呼ばれる）を利用する。このときアプリケーション１０１は、作成したデータを印刷するために、該インタフェースを提供するＯＳの出力モジュールに対して、あらかじめ定められる、ＯＳに依存する形式の出力コマンド（ＧＤＩ関数と呼ばれる）を送信する。出力コマンドを受けた出力モジュールは、プリンタ等の出力デバイスが処理可能な形式にそのコマンドを変換し、変換されたコマンド（ＤＤＩ関数と呼ばれる）を出力する。
【００１７】
出力デバイスが処理可能な形式はデバイスの種類やメーカ、機種などによって異なる。そこで、デバイスごとにデバイスドライバが提供されており、ＯＳではそのデバイスドライバを利用してコマンドの変換を行い、印刷データを生成し、ＪＬ（Job Language）でくくることにより印刷ジョブが生成される。ＯＳとしてマイクロソフト社のウインドウズ（登録商標）を利用する場合には、前述した出力モジュールとしてはＧＤＩ（Graphic Device Interface）と呼ばれるモジュールが相当する。
【００１８】
電子原稿ライタ１０２は、前述のデバイスドライバを改良したものであり、本文書処理システム実現のために提供されるソフトウェアモジュールである。ただし、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後、「電子原稿形式」と呼ぶ。）は、ページ単位の原稿を詳細な書式をもって表現可能であれば特に問わない。実質的な標準形式のうちでは、例えば米国アドビシステムズ社によるＰＤＦ（Ｐｏｒｔａｂｌｅ  Ｄｏｃｕｍｅｎｔ  Ｆｏｒｍａｔ）形式や、Ｗ３Ｃにより公開されているＳＶＧ（Ｓｃａｌａｂｅｌｅ  Ｖｅｃｔｏｒ  Ｇｒａｐｈｉｃｓ）形式などが電子原稿形式として採用できる。
【００１９】
アプリケーション１０１により電子原稿ライタ１０２を利用させる場合には、出力に使用するデバイスドライバとして電子原稿ライタ１０２を指定してから印刷を実行させる。ただし、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の不完全な電子原稿ファイルを後述する形式を備えた電子原稿ファイルとして完成させる。
【００２０】
以下では、この点を明瞭に識別する必要がある際には、電子原稿ライタ１０２によって作成されたファイルを電子原稿ファイルと呼び、製本アプリケーションによって構造を与えられた電子原稿ファイルをブックファイルと呼ぶ。また、特に区別する必要がない場合は、アプリケーションにより生成されるドキュメントファイル、電子原稿ファイル、及びブックファイルをいずれも文書ファイル（または文書データ）と呼ぶ。
【００２１】
このようにデバイスドライバとして電子原稿ライタ１０２を指定し、一般アプリケーション１０１によりそのデータを印刷させる。これによりアプリケーションデータはアプリケーション１０１によって定義されたページ（以後、「論理ページ」あるいは「原稿ページ」と呼ぶ。）を単位とする電子原稿形式に変換される。そして、電子原稿ファイル１０３としてハードディスクなどの記憶媒体に格納される。なお、ハードディスクは、本実施形態の文書処理システムを実現するコンピュータが備えているローカルドライブであってもよいし、ネットワークに接続されている場合にはネットワーク上に提供されるドライブであっても良い。
【００２２】
製本アプリケーション１０４は、電子原稿ファイルあるいはブックファイル１０３を読み込み、それを編集するための機能を利用者に提供する。ただし製本アプリケーション１０４は、各ページの内容を編集する機能は提供しておらず、ページを最小単位として構成される、後述する章やブックの構造を編集するための機能を提供している。
【００２３】
製本アプリケーション１０４によって編集されたブックファイル１０３を印刷する際には、製本アプリケーション１０４によって電子原稿デスプーラ１０５が起動される。即ち、製本アプリケーション１０４は、印刷データを生成するための機構として機能することとなる。
【００２４】
電子原稿デスプーラ１０５は、製本アプリケーションで利用するドキュメント（ブックファイル）を印刷する際に、プリンタドライバへ描画データを出力するために使用されるプログラムモジュールである。また、製本アプリケーションと共にコンピュータ内にインストールされる。電子原稿デスプーラ１０５は、指定されたブックファイルをハードディスクから読み出し、ブックファイルに記述された形式で各ページを印刷するために、ＯＳの出力モジュールに適合する出力コマンドを生成し、不図示の出力モジュールに出力する。その際に、出力デバイスとして使用されるプリンタ１０７のプリンタドライバ１０６がデバイスドライバとして指定される。出力モジュールは、指定されたプリンタ１０７のプリンタドライバ１０６を用いて受信した出力コマンドを、プリンタ１０７で解釈実行可能なデバイスコマンドに変換する。そしてデバイスコマンドはプリンタ１０７に送信され、プリンタ１０７によってコマンドに応じた画像が印刷される。
【００２５】
＜ハードウェア構成例＞
図２は、本実施形態の文書処理システムのハードウェア構成を示す図である。図２において、ホストコンピュータ１００は、ＲＯＭ２０３内のプログラム用ＲＯＭあるいは外部メモリ２１１に記憶された文書処理プログラム等に基づいて図形、イメージ、文字、表（表計算等を含む）等が混在した文書処理を実行するＣＰＵ２０１を備え、システムバス２０４に接続される各デバイスをＣＰＵ２０１が総括的に制御する。
【００２６】
また、このＲＯＭ２０３内のプログラム用ＲＯＭあるいは外部メモリ２１１には、ＣＰＵ２０１の制御プログラムであるオペレーティングシステムプログラム等を記憶し、ＲＯＭ２０３内のフォント用ＲＯＭあるいは外部メモリ２１１には上記文書処理の際に使用するフォントデータ等を記憶し、ＲＯＭ２０３内のデータ用ＲＯＭあるいは外部メモリ２１１には上記文書処理等を行う際に使用する各種データを記憶する。ＲＡＭ２０２は、ＣＰＵ２０１の主メモリ、ワークエリア等として機能する。
【００２７】
キーボードコントローラ（ＫＢＣ）２０５は、キーボード（ＫＢ）２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピー（登録商標）ディスク（ＦＤ）等の外部メモリ２１１とのアクセスを制御する。プリンタコントローラ（ＰＲＴＣ）２０８は、双方向性インタフェース（インタフェース）２１を介してプリンタ１０７に接続されて、プリンタ１０７との通信制御処理を実行する。ＮＣ２１２はネットワークに接続されて、ネットワークに接続された他の機器との通信制御処理を実行する。
【００２８】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００２９】
プリンタ１０７は、ＣＰＵ３１２により制御される。プリンタのＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する。また、このＲＯＭ３１３内のプログラムＲＯＭには、ＣＰＵ３１２の制御プログラム等を記憶する。ＲＯＭ３１３内のフォント用ＲＯＭには上記出力情報を生成する際に使用するフォントデータ等が記憶され、ＲＯＭ３１３内のデータ用ＲＯＭには、ハードディスク等の外部メモリ３１４がないプリンタの場合には、ホストコンピュータ上で利用される情報等が記憶されている。
【００３０】
ＣＰＵ３１２は入力部３１８を介してホストコンピュータとの通信処理が可能となっており、プリンタ内の情報等をホストコンピュータ１００に通知できる。ＲＡＭ３１９は、ＣＰＵ３１２の主メモリや、ワークエリア等として機能するＲＡＭで、図示しない増設ポートに接続されるオプションＲＡＭによりメモリ容量を拡張することができるように構成されている。なお、ＲＡＭ３１９は、出力情報展開領域、環境データ格納領域、ＮＶＲＡＭ等に用いられる。前述したハードディスク（ＨＤ）、ＩＣカード等の外部メモリ３１４は、メモリコントローラ（ＭＣ）２０によりアクセスを制御される。外部メモリ３１４は、オプションとして接続され、フォントデータ、エミュレーションプログラム、フォームデータ等を記憶する。また、３２１は前述した操作パネルで、操作のためのスイッチ及びＬＥＤ表示器等が配されている。
【００３１】
また、前述した外部メモリ３１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル３２１からのプリンタモード設定情報を記憶するようにしてもよい。
【００３２】
＜電子原稿データの形式例＞
編集アプリケーション１０４の詳細を言及する前に、ブックファイルのデータ形式を説明する。
【００３３】
図３は、ブックファイルを、大きくブック構成情報３０１とページデータ３０２とに分類して説明している図である。ページデータ３０２は、ブックファイルに取り込まれた複数ページをプールする領域である。各ページを単位とした構成を保持しているのがブック構成情報３０１である。
【００３４】
図４は、ブック構成情報３０１の詳細を示すデータ構造の例を示す図である。この例では紙媒体の書物を模した３層の層構造を有する。上位層は「ブック」と呼ばれ、１冊の本を模しており、その文書全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００３５】
この例のブックファイルにおける、ブック、章、ページは、それぞれに相当するノードにより示されている。ひとつのブックファイルはひとつのブックを含む。ブック、章は、ブックとしての構造を定義するための概念であるから、定義された属性値と下位層へのリンクとをその実体として含む。ページは、アプリケーションプログラムによって出力されたページごとのデータを実体として有する。そのため、ページは、その属性値のほか、原稿ページの実体（原稿ページデータ）と各原稿ページデータへのリンクを含む。尚、紙媒体等に出力する際の印刷ページは複数の原稿ページを含む場合がある。この構造に関してはリンクによって表示されず、ブック、章、ページ各階層における属性として表示される。
【００３６】
まず最上位にブック情報４０１を持つ。ブック情報４０１は４０２〜４０４の３つのパートに大別できる。ブック制御情報４０２は、文書ファイルのファイルシステムにおけるパス名などの情報を保持する。ブック設定情報４０３は、ページレイアウトなどのレイアウト情報とステイプルなど印刷装置の機能設定情報を保持し、ブックの属性に相当する。章情報リスト４０４は、文書を構成している章の集合をリスト形式で保持する。リストが保持するのは章情報４０５である。
【００３７】
章情報４０５も４０６〜４０８の３つのパートに大別できる。章制御情報４０６は、章の名称などの情報を保持する。章設定情報４０７は、その章特有のページレイアウトやステイプルの情報を保持し、章の属性に相当する。章ごとに章設定情報４０７をもつことで最初の章は２UPのレイアウトその他の章は４UPのレイアウトのように複雑なレイアウトを持った文書を作成することが可能である。ページ情報リスト４０８は各章を構成する原稿ページの集合リスト形式で保持している。ページ情報リスト４０８が指示するのは、ページ情報データ４０９である。
【００３８】
ページ情報４０９も４１０〜４１２の３つのパートに大別される。ページ制御情報４１０は、ツリー上に表示するページ番号などの情報を保持する。ページ設定情報４１１は、ページ回転角やページの配置位置情報などの情報を保持し、原稿ページの属性に相当する。ページリンク情報４１２は、ページに対応する原稿データである。この例では、ページ情報４０９が直接原稿データを持つのではなく、リンク情報４１２だけをもち、実際の原稿データは、ページデータリスト４１３で保持する構成としている。
【００３９】
図５は、ブック属性（ブック設定情報４０３）の例を示すリストである。通常、下位層（章やページ）と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。しかし、本実施形態では、後述するように、下位層の属性値を優先するか否かが選択可能となっている。なお、図示された各項目は具体的に１項目に対応するのではなく、関連する複数の項目を含むものもある。
【００４０】
ブック属性は、属性項目５０１、設定値５０２及び備考５０３で構成される。本実施形態において、ブック属性に固有の属性項目５０１は、印刷方法、面付け方法、仕上がりサイズ、とじ方法、とじ代、表紙／裏表紙、インデックス紙、合紙、章の区切り、トンボ・ドブの１０項目である。これらは、ブックを通して定義される項目である。
【００４１】
印刷方法としては、片面印刷、両面印刷、の２つの値を指定できる。
【００４２】
面付け方法には、ペラ、中綴じ、４つ折りの３つの値を指定できる。ペラとは、仕上げの際に用紙を折らないでとじることができる面付け方法である。中綴じとは、別途指定する枚数の用紙を束にして２つ折りにし、その束をつづり合わせることで製本が可能となる形式に適したレイアウトを行う面付け方法である。図示はしていないが、中綴じの場合には、さらに詳細属性として見開き方向や、束になる枚数等が指定できる。４つ折りとは、用紙を縦横それぞれ１回ずつ折って、四つ折の状態で折った袋部分を断裁する事で製本が可能となる形式に適したレイアウトを行う面付け方法である。袋の位置やとじ方向に応じて、右とじ天袋、右とじ左袋などの詳細設定項目がある。
【００４３】
仕上がりサイズは、用紙を断裁して複数のページを作成する際に、用紙を断裁するサイズの指定である。Ａ３ノビサイズに仕上がりサイズＡ４を２つ面付けする形式が代表的な例である。とじ方法は、通常、くるみ（くるみ製本）、中綴じ、４つ折りがある。とじ代は、ブックとしてまとめられる電子原稿ファイルを印刷する際に、とじ代を付加することの指定を含む。とじ代の設定値のシフトやサイズの縮小が可能である。ここで、「くるみ（くるみ製本）」とは、インラインフィニッシャまたは、オフラインフィニッシャによるくるみ製本が可能となるとじ形式である。くるみ製本は、印刷した中紙を綴じ位置に糊付けし、くるみ表紙でくるんで製本し、必要に応じて三方断裁される。「４つ折り」とは、出力用紙を４つ折りにして、束にすると、無線とじ製本が可能となる形式で、印刷ページを面付けする方法である。無線とじ製本は、オフラインフィニッシャにより三方断裁または四方断裁することにより実現される。
【００４４】
表紙／裏表紙は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００４５】
合紙属性は、章の区切りとして、インサータからあるいは給紙カセットから供給される用紙の挿入の指定、及び、合紙を挿入する場合には、給紙元の指定などを含む。
【００４６】
章の区切りは、章の区切り目において、新たな用紙を使用するか、新たな印刷ページを使用するか、特に何もしないか等の指定を含む。片面印刷時には新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００４７】
トンボ・ドブ属性は、電子原稿ファイルを印刷する際に、印刷ページに対しトンボの印刷、及びドブ（裁ち落とし）を指定したい場合に指定するための項目である。ドブ領域（裁ち落とし幅）は、仕上がりページの各辺に付与でき、印刷用紙を断裁するときに、裁ち落とされる幅を表す。トンボマーク（裁ち落とし位置目印）は、オフラインフィニッシャを用いてユーザが裁ち落としを行う際の位置を示す目印である。
【００４８】
図６は、章属性（章設定情報４０７）の、図７はページ属性（ページ設定情報４１１）の例を示すリストである。章属性とページ属性との関係もブック属性と下位層の属性との関係と同様である。
【００４９】
章属性に関しては、章に固有の項目はなく、すべてブック属性と重複する。したがって、通常は、章属性における定義とブック属性における定義とが異なれば、章属性で定義された値が優先する。しかし、本例では、後述するように、下位層の属性値を優先するか否かが選択可能となっている。
【００５０】
図６において、ブック属性と章属性とにのみ共通する項目は、用紙サイズ、用紙方向、Ｎ−ｕｐ印刷指定、拡大縮小、排紙方法（フィニッシング）の５項目である。このうち、用紙サイズは、前述したように、印刷用紙のサイズを示し、くるみ製本や二つ折り製本（上記製本印刷に相当）が選択されていない場合は、章単位に用紙サイズを切り替えることが可能である。用紙方向は、ポートレイト（縦）であるか、ランドスケープ（横）であるかを示す。
【００５１】
Ｎ−ｕｐ印刷指定は、１印刷ページに含まれる原稿ページ数を指定するための項目である。指定可能な配置としては、１×１や１×２、２×２、３×３、４×４などがある。拡大縮小属性でＯＮされている場合には、出力用紙サイズに合わせて、入力される原稿ページを拡大縮小することを示す。排紙方法（フィニッシング）は、排出した用紙にステイプル処理を施すか否かを指定するための項目であり、この属性の有効性は使用する印刷装置がステイプル機能を有するか否かに依存する。
【００５２】
次に図７において、ページ属性に固有の項目には、ページ回転指定、ズーム、ページ分割などがある。ページ回転指定は、原稿ページを印刷ページに配置する際の回転角度を指定するための項目である。ズームは、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば１×１であれば、仮想論理ページ領域は１印刷ページに相当する領域となり、１×２であれば、１印刷ページの各辺を約７０パーセントに縮小した領域となる。
【００５３】
ブック、章、ページについて共通な属性として、ウォーターマーク及びヘッダ・フッタがある。ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。ただし、ヘッダ・フッタには、ページ番号や日時など、変数により指定可能な項目が用意されている。
【００５４】
なお、ウォーターマーク及びヘッダ・フッタの各属性について指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００５５】
＜文書処理システムの操作手順例＞
（ブックファイルの生成手順例）
ブックファイルは、上述したような構造及び内容を有している。次に、製本アプリケーション１０４及び電子原稿ライタ１０２によってブックファイルを作成する手順を説明する。ブックファイルの作成は、製本アプリケーション１０４によるブックファイルの編集操作の一環として実現される。
【００５６】
図８は、製本アプリケーション１０４によりブックファイルを開く際の手順を示すフローチャートである。
【００５７】
まず、開こうとするブックファイルが、新規作成すべきものであるか、それとも既存のものであるか判定する（ステップＳ８０１）。新規作成の場合には、章を含まないブックファイルを新規に作成する（ステップＳ８０２）。新規に作成されるブックファイルは、図４の例で示せば、ブック情報４０１のみ有し、章のノードに対するリンクが存在しないブックのノードとなる。ブック属性（ブック設定情報４０３）には、新規作成用としてあらかじめ用意された属性のセットが適用される。そして、新規ブックファイルを編集するためのユーザインタフェース（ＵＩ）画面を表示する（ステップＳ８０４）。
【００５８】
図９は、新規にブックファイルが作成された際のＵＩ画面の一例である。この場合には、ブックファイルは実質的な内容を持たないために、ＵＩ画面９００には何も表示されない。
【００５９】
一方、既存のブックファイルがあれば、指定されたブックファイルを開き（ステップＳ８０３）、そのブックファイルの構造、属性、内容に従ってユーザインタフェース（ＵＩ）画面を表示する。図１０は、このＵＩ画面の一例である。ＵＩ画面１０００は、ブックの構造を示すツリー部１００１と、印刷された状態を表示するプレビュー部１００２とを含む。ツリー部１００１には、ブックに含まれる章、各章に含まれるページが、図４のような木構造が分かるように表示される。ツリー部１００１に表示されるページは原稿ページである。プレビュー部１００２には、印刷ページの内容が縮小されて表示される。その表示順序は、ブックの構造を反映したものとなっている。
【００６０】
開かれたブックファイルには、電子原稿ライタ１０２によって電子原稿ファイルに変換されたアプリケーションデータを、新たな章として追加することができる。この機能を電子原稿インポート機能と呼ぶ。図８の手順によって新規に作成されたブックファイルに電子原稿インポートすることで、そのブックファイルには実体が与えられる。この機能は、図９あるいは図１０の画面にアプリケーションデータをドラッグアンドドロップ操作することで起動される。
【００６１】
図１１に、新規作成されたブックファイルに電子原稿インポートを行う場合の処理の一例を示すフローチャートである。まず、図８のフローチャートに従い新たなブックファイルを作成してそれを開く（ステップＳ１１０１）。そして、インポート対象としてのデータの指定を受け付ける。ステップＳ１１０２では、このインポート対象として指定されたデータのフォーマットが画像ファイルである否かを判定する。この判定は、ウインドウズＯＳの下であれば、アプリケーションデータのファイル拡張子に基づいて行うことができる。例えば、拡張子が「ｂｍｐ」であればウインドウズビットマップデータであり、「ｊｐｇ」であればＪＰＥＧ圧縮された画像データ、「ｔｉｆｆ」であればｔｉｆｆ形式の画像データであると判定できる。
【００６２】
もし、その他のファイルフォーマットであると判定された場合は（ステップＳ１１０２において「その他」）、ステップＳ１１０３に移行する。ステップＳ１１０３では、指定されたアプリケーションデータに対応するアプリケーションを起動し、電子原稿ライタ１０２をデバイスドライバとして、ＯＳの出力モジュールに対して出力コマンドを送信させる。出力モジュールは、受信した出力コマンドを電子原稿ライタ１０２によって電子原稿形式のデータに変換し、出力する。
【００６３】
一方、画像データであった場合には（ステップＳ１１０２において「画像」）、ステップＳ１１０４に移行する。ステップＳ１１０４では、アプリケーションを起動せずにファイルフォーマットを変換することで電子原稿ファイルに変換する。この例では、画像ファイルだけをフォーマット変換の対象としているが、ＰＤＦやＰＳなどフォーマットが公開されているデータであれば、データ変換のコンバータを作成することが可能である。
【００６４】
指定されたデータについて変換が終了したらブックファイルへ追加する（ステップＳ１１０５）。指定されたデータが複数ファイルの場合は、ステップＳ１１０１からステップＳ１１０５をファイルの数だけループすることで複数ファイルをブックファイルにインポートすることができる。
【００６５】
（ブックファイルの編集例）
以上のようにして、アプリケーションデータからブックファイルを作成することができる。生成されたブックファイルについては、章及びページに対して次のような編集操作が可能である。
（１）新規追加
（２）削除
（３）コピー
（４）切り取り
（５）貼り付け
（６）移動
（７）章名称変更
（８）ページ番号名称振り直し
（９）表紙挿入
（１０）合紙挿入
（１１）インデックス紙挿入
（１２）各原稿ページに対するページレイアウト
【００６６】
このほか、一旦行った編集操作を取り消す操作や、さらに取り消した操作をやり直す操作が可能である。これら編集機能により、例えば複数のブックファイルの統合、ブックファイル内で章やページの再配置、ブックファイル内で章やページの削除、原稿ページのレイアウト変更、合紙やインデックス紙の挿入などといった編集操作が可能となる。これらの操作を行うと、図４乃至図６に示す属性に操作結果が反映されたり、あるいはブックファイルの構造に反映されたりする。
【００６７】
例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される。本例における、編集時の表示及び操作例については、以下で詳細に示す。
【００６８】
（ブックファイルの出力例）
以上のように作成・編集されるブックファイルは印刷出力を最終目的としている。利用者が図１０に示す製本アプリケーション１０４のＵＩ画面１０００からファイルメニュー１００３を選択し、そこから印刷を選択すると、指定した出力デバイスにより印刷出力される。この際、まず製本アプリケーション１０４は、現在開かれているブックファイルから印刷データとしてのジョブチケットを作成して電子原稿デスプーラ１０５に渡す。電子原稿デスプーラ１０５は、ジョブチケットをＯＳの出力コマンド、例えばウインドウズのＧＤＩコマンドに変換し、それを出力モジュール、例えばＧＤＩに送信する。出力モジュールは、指定されたプリンタドライバ１０６によってデバイスに適したコマンドを生成し、そのデバイスに送信する。
【００６９】
すなわち、図示しない出力モジュールのグラフィックエンジンは、印刷装置ごとに用意されたプリンタドライバ１０６を外部メモリ２１１からＲＡＭ２０２にロードし、出力をプリンタドライバ１０６に設定する。そして、出力モジュールは、受け取ったＧＤＩ（Graphic Device Interface）関数をＤＤＩ（Device Driver Interface）関数に変換して、プリンタドライバ１０６へＤＤＩ関数を出力する。
【００７０】
プリンタドライバ１０６は、出力モジュールから受け取ったＤＤＩ関数に基づいて、プリンタが認識可能な制御コマンド、例えばＰＤＬ（Page Description Language）に変換する。変換されたプリンタ制御コマンドは、ＯＳによってＲＡＭ２０２にロードされたシステムスプーラを経てインタフェース２１経由でプリンタ１０７へ印刷データとして出力される仕組みとなっている。
【００７１】
ここで、上記ジョブチケットは、原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子や、プリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００７２】
ジョブチケットのデータ構造の例を図１２に示す。印刷用のデータでは、文書は用紙の集合で構成されており、各用紙は表、裏の２面で構成されており、各面は原稿をレイアウトする領域（物理ページ）を持ち、各物理ページには、最小単位である原稿ページの集合から構成される。
【００７３】
１２０１は文書に相当するデータで、文書全体に関係するデータと、文書を構成する用紙情報のリストから構成される。用紙情報１２０２は用紙サイズなど用紙に関する情報と用紙上に配置される面情報のリストから構成される。面情報１２０３は、面に固有のデータと、面上に配置される物理ページのリストから構成される。
【００７４】
物理ページ情報１２０４は、物理ページのサイズやヘッダ・フッタなどの情報と、物理ページを構成する原稿ページのリストから構成される。原稿ページ情報１２０５は、原稿ページのヘッダ・フッタなどの情報やカラーデータを含んでいるか、面上のどの位置にどのサイズに拡縮するか等のレイアウト情報を保持する原稿ページ設定部と、ページデータリスト４１３へのリンク情報から構成される。
【００７５】
電子原稿デスプーラ１０５は、上述のジョブチケットを、出力モジュールへの出力コマンドに変換する。
【００７６】
（プレビュー表示の内容例）
すでに説明したとおり、ブックファイルが製本アプリケーションによって開かれると、図１０に示すユーザインタフェース画面１０００が表示される。ツリー部１００１には、開いているブック（以下、「注目ブック」と呼ぶ。）の構造を示すツリーが表示される。プレビュー部１００２には、利用者の指定に応じて、３通りの表示方法が用意されている。
【００７７】
第１は原稿ページをそのまま表示する原稿ビューと呼ばれるモードである。原稿ビューモードでは、注目ブックに属する原稿ページの内容が縮小されて表示される。プレビュー部の表示にレイアウトは反映されない。第２は印刷ビューモードである。印刷ビューモードでは、プレビュー部１００２には、原稿ページのレイアウトが反映された形で原稿ページが表示される。第３は簡易印刷ビューモードである。簡易印刷ビューモードでは、各原稿ページの内容はプレビュー部の表示には反映されず、レイアウトのみが反映される。
【００７８】
なお、図１０の画面は、製本アプリケーション１０４の操作画面としても利用可能である。製本アプリケーション１０４は、文書のページ順の入れ替えや複製、削除などの編集に加え、ステイプルなどの印刷装置の機能設定も行うことができ、指定した印刷装置に印刷することが可能である。
【００７９】
＜属性設定例＞
図１３は、製本アプリケーション１０４の「文書の詳細設定」ウインドウ１３００を示している。
【００８０】
このウインドウでは、「ブック設定情報４０３」を表示／設定することができる。このウインドウは、図１０のアプリケーション操作画面にあるPrint Formメニュー１００４の「Detailed Setting for Document」（文書の詳細設定）メニューあるいはツールバー上の「Detailed Setting for Document」ボタンから起動される。「文書の詳細設定」ウインドウは、文書全体に影響する属性の設定を行うためのウインドウである。このウインドウは、Page Setup（ページ設定）１３０３、Decoration（装飾）１３０４、Edit（編集）１３０５、Paper Source（給紙）１３０６の４つのシートから構成される。図１３は、Page Setupシート１３０３が選択された状態を示している。このPage Setupシート１３０３では、主にレイアウトに関する設定を行うことができ、用紙サイズや向き、Ｎページ印刷などの設定を指示することができる。また、ウインドウ１３００には、ズームに関するチェックボックスコントロール１３０１、１３０２が配置されている。
【００８１】
図１４は、製本アプリケーション１０４の「章の詳細設定」ウインドウ１４００を示している。
【００８２】
このウインドウでは、「章設定情報４０７」を表示／設定することができる。このウインドウは、図１０のアプリケーション操作画面にあるPrint Formメニュー１００４の「Detailed Setting for Chapter」（章の詳細設定）メニューあるいはツールバー上の「Detailed Setting for Chapter」ボタンから起動される。「章の詳細設定」ウインドウ１４００は、章固有の属性の設定を行うためのウインドウである。このウインドウ１４００は、Page Setup（ページ設定）１４０４、Finishing（フィニッシング）１４０５、Edit（編集）１４０６、Paper Source（給紙）１４０６の４つのシートから構成されている。
【００８３】
図１４は、Page Setupシート１４０４を表示した状態を示している。このPage Setupシート１４０４では、主に各章で固有のレイアウトに関する設定を行うことができ、用紙サイズや向き、Ｎページ印刷などの設定を指示することができる。「文書の詳細設定」と「章の詳細設定」で重複する設定項目については「Follow Book Attribute（ブック属性に従う）」のチェックボックスコントロール１４０１、１４０２、１４０３を配置している。このチェックボックスにチェックが入っている属性項目については、図１３で設定されたブックの設定値をその章にも適用する。
【００８４】
このチェックをはずした場合の画面例は、次の図１５に示す。章固有の設定としては２種類に分類できる。一つは章でしか持たない設定項目である。もう一つは、上位階層の文書とは異なる独自の設定値を章の階層で保持している場合である。
【００８５】
図１５は、図１４の「章の詳細設定」でチェックボックスコントロール１４０１、１４０２のチェックをはずした状態である。この場合、文書の全体がＡ３用紙を使っている場合でも、この章を構成するページはＡ４用紙サイズになる。またレイアウトも、文書ではページレイアウト１４０８が「１Page Par Sheet」に設定されていて、１シート１ページの設定である。これに対し、図１５における章の設定では、ページレイアウト１５０２が「4 Page Per Sheet」となっているので、１シートに４ページがレイアウトされる。また、チェックボックスコントロール１４０３にはチェックがついているので、上位階層である文書の設定値を、この章の設定値として使用する。即ち、この章についての設定を行う必要がない。
【００８６】
図１６は、製本アプリケーション１０４の「ページの詳細設定」ウインドウ１６００を示している。
【００８７】
このウインドウ１６００では、「ページ設定情報４１１」を表示／設定することができる。このウインドウは、図１０のアプリケーション操作画面にあるPrint Formメニュー１００４の「Detailed Setting for Page」（ページの詳細設定）メニューあるいはツールバー上の「Detailed Setting for Page」ボタンから起動される。「ページの詳細設定」ウインドウ１６００は、各ページで固有の属性の設定を行うためのウインドウである。このウインドウ１６００は、Page Setup（ページ設定）１６０２、Edit（編集）１６０３の２つのシートから構成されている。
【００８８】
図１６は、Page Setupシート１６０２が選択された状態を示している。このPage Setupシート１６０２では、主に各ページで固有のレイアウトに関する設定を行うことができ、原稿ページを配置する際の回転角や拡縮率などの設定を指示することができる。「章の詳細設定」と「ページの詳細設定」で重複する設定項目については「Follow Chapter Attribute（章属性に従う）」のチェックボックスコントロール１６０１を配置している。このチェックボックスにチェックが入っている属性項目については、図１４及び図１５で設定された章に関する設定値をそのページにも適用する。このチェックをはずした場合については、次の図１７に示す。
【００８９】
図１７は、図１６の「ページの詳細設定」でPage Rotation（ページ回転）１６０４の設定を変更した状態を示している。図１６では、ページ回転１６０４について、回転無し（０度）の設定となっている。これに対し図１７では、原稿ページをレイアウトする際にページの上が左になるように（２７０度）回転して配置する設定にしている。この属性項目については、章や文書に重複する設定項目が無いので「Follow Chapter Attribute」のチェックボックスが存在せず、ウインドウ１６００に表示されている設定が常にページの設定値となる。
【００９０】
一方、「Follow Chapter Attribute」１６０１にチェックがある場合、例えば、ズームアレンジは章にも重複する設定項目があるので章の設定値をページの設定値とする。また、章におけるズームアレンジの設定項目において「Follow Book Attribute」１４０３のチェックがある場合、章の設定値は上位階層である文書の設置値を使うので、結局ページの設定値は文書の設定値に従うことになる。また、章で該当する項目１４０３のチェックが外れている場合、章固有の設定値を有することとなるので、ページの設定値はその章固有の設定値に従う。
【００９１】
尚、上記設定画面で設定されたチェックボックスコントロールの情報は、専用の領域に保持されてもよいが、図４に示した章設定情報４０７やページ設定情報４１１内に属性の１つとして保持するのが望ましい。この場合には、図６及び図７にチェックボックスコントロールの情報を保持する領域が追加される。
【００９２】
＜文書編集の表示例＞
上位階層と重複する属性項目の設定値として、上位階層の設定値を使わないようにした場合、つまり、チェックボックスコントロール１４０１や１６０１のチェックをはずした場合のアプリケーションの表示形式を、図１８に示す。
【００９３】
図１８の例では、ツリー部１００１に示すように、文書は二つの章（Chapter1及びChapter2）からなる。また、各章は９ページ（1-1から1-9と2-1から2-9）の原稿データを持っている。
【００９４】
図１８では、最初の章のレイアウトが４ＵＰ（４ｉｎ１とも表記する）に設定され、２番目の章の先頭ページ（文書全体では１０ページ目）に回転が指定された場合の表示例を示している。
【００９５】
プレビュー部１００２では、１〜３ページ目（１８０１から１８０３）には１ページ上に４つの原稿がそれぞれ配置されている様子が表示されている。そして、第４ページ目１８０４のデータである「Ａ」の文字が回転している様子が表示されている。ツリー部１００１での章やページ固有の設定を行った場合の表示形式を説明する。最初の章（Chapter1）に対するアイコン１８０５が変化して、この章に章独自の設定がなされていることを示している。また、２番目の章(Chapter2)の先頭ページ(2-1)に対するアイコン１８０６が変化して、このページに特別な設定がなされていることが示されている。これらのアイコンには、１８０７の様なマークが表示されており、係るマーク１８０７の有無により、設定の有無を識別することができる。なお、マーク１８０７の形式は、図１８に示したものに限定されるものではなく、特定の設定が成されていることが識別可能に表示されれば、どのような形式であっても良い。例えば、該当部分を点滅表示しても良いし、表示色を変えても良い。
【００９６】
＜出力例＞
印刷業やＣＲＤ（Ｃｅｎｔｒａｌｉｚｅｄ  Ｒｅｐｒｏｇｒａｐｈｉｃ  Ｄｅｐａｒｔｍｅｎｔ）では、Ａ４原稿をＡ３伸びサイズに２つ並べて印字し、後工程で断裁することで１枚の用紙から複数の頁を得るような出力形態のレイアウトを行う場合がある。単純に同じページデータを複数並べる場合や連続するページを並べる場合など様々なレイアウトを行っている。
【００９７】
図１９は、４つ折りの面付け例である。この例では、単に並べて印刷するだけではなく、印刷後に四つ折りして断裁することを前提として、折り処理後の断裁後にページ順が続くように、複数のページをレイアウトしている。１９０１は、印刷用紙の表面のレイアウトパターンを示し、１９０２は印刷用紙の裏面のレイアウトパターンを示す。ここでは、表面１９０１の１ページ目の裏に、裏面１９０２の２ページ目が印刷されるようにレイアウトされている。同様に、４ページ目の裏に３ページ目が、５ページ目の裏に６ページ目が、８ページ目の裏に７ページ目が印刷されるようにレイアウトされている。
【００９８】
後工程の折りとしてこれ以外に良く実施されているのは、単純に中綴じで２つ折りする方式や更にもう一回折って８つ折りする方法がある。このように１枚の用紙に複数ページを面付けする際には、各ページを切り離すために「トンボ」と呼ばれる断裁の目印をあわせて印刷することが多い。図２０から図２２は、本実施形態に対応する文書処理システムを用いて断裁目印としてのトンボを印字した例を示している。
【００９９】
図２０は、単純にページを並べて配置している場合（ペラ）のトンボ印字の例である。この例では、ページを用紙に３行４列のあわせて１２ページ配置している。ページの間には、断裁位置を示すトンボ（２００１から２０１４）と各ページの中心位置を示すセンタートンボ（２０２１から２０３４）とを印字している。センタートンボは、複数枚のペラ印刷を行う場合に、各印刷用紙の印字位置にズレがないかを作業者が判断するための目印である。なお、断裁位置を示すトンボには、ページ間の断裁位置を示す目印と、ページのコーナーにおける断裁位置を示す目印とが含まれ、コーナートンボとも言う。また、仕上がりサイズと各トンボの間の領域をドブ領域または裁ち落とし幅と呼ぶ。
【０１００】
図２１は、用紙の中央で２つ折りする場合（中綴じ）の面付けでトンボを印字している例である。ここでは、用紙の中央部の上下位置に折り位置を示す折りトンボ（２１０１及び２１０２）、四隅に断裁位置を示すコーナートンボ（２１０３から２１０６）、ページの中央位置を示すセンタートンボ（２１０７から２１１０）がそれぞれ配置されている。
【０１０１】
図２２は、４つ折り面付けのトンボ印字例である。（ａ）は綴じ位置にミーリングと呼ばれる削り幅を持っていない場合の例、（ｂ）はミーリング２２２１を有する場合の例を示す。いずれの場合でも、この例においても、折り位置に折りトンボ（２２０１から２２０４）、断裁する位置に断裁トンボ（２２０５から２２１２）、各ページの中央位置にセンタートンボ（２２１３から２２２０）を配置している。
【０１０２】
「ミーリング」は、製本の方法が「無線とじ」の場合、必要になる。「無線とじ」は、接着剤だけで本を綴じる製本方法であり、本の背の部分に鋸歯状（ミーリング）のギザギザをつけてから接着剤をつけ表紙でくる。そのため、ギザギザにする部分の余白を、面付け時に設ける必要があり、この余白をミーリング幅と呼ぶ。
【０１０３】
従来は、図２３に示すようにトンボを用紙４辺全てに印字していた。図２３は４つ折り面付けの場合にトンボを印字した場合の出力例である。このように全てのページにトンボを印刷した場合、下記のような問題が生ずる。
【０１０４】
図２４ａ乃至図２４ｃは、従来のトンボの印刷方式に基づく問題を説明するための図面である。図２４ａに示すように、通常は、右上のトンボ２４０１と右下のコーナートンボ２４０２の位置で断裁することで、図中の点線２４０３で示す仕上がりサイズの成果物が得られる。また、折りトンボがある場合には、該折りトンボの位置で折り、断裁トンボの位置で断裁することで、理想とする成果物を得ることができる。
【０１０５】
しかし現実的には、多少の位置ズレが発生する。位置ズレが発生するのは、用紙毎の位置のずれ、表面と裏面との位置のずれ、折り位置のずれ、断裁位置のずれなど、各工程において生ずる「ずれ」が原因である。
【０１０６】
このような各工程でのずれが積み重なって、断裁や折り時のずれが発生する。そこで、一般にはこのようなずれを見込んで、誤差を許容可能な範囲をドブ領域として設けている。この許容範囲は３ｍｍ程度確保されることが多い。
【０１０７】
図２４ｂは、折り位置が図面右下の方向にずれた場合の例を示している。面付け上の折り位置（折りトンボの位置）を点線２４０４及び２４０５で、実際に折られた位置を一点鎖線２４０６及び２４０７で示している。この一点鎖線で折った場合に、トンボがどのようになるのかを示しているのが図２４ｃである。
【０１０８】
点線２４０８及び２４０９で示しているのは、表面（１が印字されている用紙）ではなく、用紙の裏面や折り重ねたページに印字されているトンボである。この状態では、１ページ目の断裁位置が２本トンボの間であっても、成果物の裏面にはトンボが残ってしまうことになる。
【０１０９】
次に、同じページを縦横２つずつ、合計４つ面付けする場合を例に説明する。例えば、原稿が４ページものであれば、１シートに同一ページを４枚分印刷して４つに断裁することで、一度に４部を得ることができる。
【０１１０】
図２５はこの４面つけの場合に、本発明のトンボ位置制御を適用した場合を分かりやすく図示した例である。図２５で各ページの周囲が矩形で囲まれているのは、仕上がりサイズを示す概念的な位置を分かりやすく示しているためであり、実際には枠は印刷されない。原稿は４ページ（２５０１から２５０４）あるので４枚を重ねて断裁するものとする。この場合、作業者が断裁の目印として必要なのは１枚目２５０１のトンボだけである。本発明のトンボ位置制御方式では、折り処理を伴わない面付け方法の場合、実際の断裁で必要な１枚目の用紙にのみトンボを印字するので、多少の位置ズレがあっても２ページ目以降にトンボが残ることはありえない。
【０１１１】
本発明を中綴じ製本印刷に対して適用する例を示すのが図２６である。図２６は、中綴じ製本印刷、かつ開き方向が左開きに設定されている場合の面付け結果を示している。中綴じ製本印刷の場合、用紙をまとめて二つ折りにし、１ページ目のトンボを目印とし、用紙をまとめて断裁する。この場合、作業者は１ページ目の位置にのみトンボが印字されていれば断裁には用が足りるため、に１ページ目となる断裁位置にのみトンボ２６０１及び２６０２を印字している。なお、中綴じ製本印刷の場合は、作業者は、最終ページ目にトンボが印字されていれば断裁には用が足りるため、１ページ目にトンボを印字せずに、最終ページにトンボを印字してもよい。すなわち、折り処理を伴う面付け方法の場合、折り処理後に先頭ページとなるページ（１ページ目または最終ページ）にトンボを付加して印刷すればよい。
【０１１２】
本発明を四つ折りの面付けに対して適用した例を示すのが図２７である。一枚目の用紙２７０１には、１ページ目から８ページ目までが印字されるが、トンボが印字されているのは１ページ目に接する左上のコーナートンボ２７０３と、左中央の水平線の断裁トンボ２７０４だけである。用紙２７０１上に断裁用のトンボが付いているのは１ページ目の周囲だけなので、このトンボを目印として断裁すれば用紙のほかのページにトンボが残ることはない。２枚目の用紙２７０２以降についても同様にして、１ページ目のみに断裁用のトンボを印刷する。
【０１１３】
図２８ａ及び図２８ｂは、本実施形態に対応するトンボ位置の設定を行うためのＧＵＩの一例を示す図である。図２８ａは、ペラの面付けの場合のＧＵＩの一例を示し、図２８ｂは、「中とじ」や「４つ折り」のように用紙を折る必要のある面付け方法が選択されている場合のＧＵＩの一例を示す。両図面において断ち落としの用語が「上下左右」と「天地小口」となっているなど面付けに応じた違いはあるがほぼ同等の設定が可能である。
【０１１４】
図２８ａのダイアログの中央付近にあるチェックボックスコントロール２８０１で、「先頭用紙（表面）にだけトンボをつける」か否かを設定することができる。このコントロール２８０１がチェックされた場合には、図２５のように、１シート目のみにトンボが印刷され、他のシートにはトンボが印刷されないこととなる。
【０１１５】
図２８ｂのダイアログの中央付近にあるチェックボックスコントロール２８０２で、「折り丁の１ページ目だけにコーナートンボをつける」か否かを設定することができる。このコントロール２８０２がチェックされた場合には、図２６や図２７のように、シートの１ページ目のみにトンボが印刷され、他のページにはトンボが印刷されないこととなる。
【０１１６】
なお、チェックが外された場合には、従来どおり全ての位置でトンボをつけることができる。
【０１１７】
なお、先頭ページにだけつけるだけでは、更なる課題が発生する。図２９はこの課題を説明するための図である。図２９では、４ページ原稿を４面付けしているが、これを１０００部印字するとする。４ページ物なので、４０００枚印刷されて、断裁すると４倍の４０００部の仕上がりを得ることができる。
【０１１８】
ここで、印刷の後工程である断裁工程で使用する断裁機の最大断裁用紙枚数が１０００枚と仮定すると、４０００枚を一度に断裁することはできない。そこで、１０００枚単位で４回に分けて断裁することとなる。しかし、上記の実施形態に従えば、１枚目にしかトンボが印字されていないので、１００１枚目以降を断裁することができなくなってしまう。上記の実施形態に従って断裁を可能とするには、ユーザが最大断裁用紙枚数をページ数で割った２５０部（１０００ページ）を４回に分けて印刷しなければならず、手作業によるミスが発生する場合がある。
【０１１９】
この課題に対応した本発明の実施形態を示すのが図３０である。予め設定されたＮ部ごとに繰り返しトンボ３００１及び３００２を印字することで、後工程の制限に対応することができる。なお、単に繰り返しトンボを印刷するだけでは、４０００枚の印刷物からトンボが印刷された４枚を探すという労力が必要となるため、仕分ける設定と連動するといった工夫があるとより効果的である。
【０１２０】
この場合の設定用ＧＵＩの一例を示すのが図３１である。図３１では、印刷ダイアログ３１００にＮ部ごとにシフトして排紙するオプション３１０１がある。Ｎ部ごとに排紙位置をずらすことで仕分けを容易にしている。このシフトの設定と図３０に示したようなトンボの印字周期を一致させることで、トンボの描画位置を容易に探し当てることができるようになる。なお、仕分けの容易の為には、シフトによらずとも、トンボが印刷されたシートを識別可能なシートを間で排紙しても良い。このようなシートには、文書データの印刷に利用される記録紙とは異なる色の色紙を利用することができる。これにより、部数の区切りを明確化できる。なお、これらの設定により、図５で示したブックの属性項目のトンボ・ドブ属性１７に、どの種類のトンボをつけるか、先頭用紙にトンボをつけるか、折り丁の１ページ目にトンボをつけるか、トンボの印字周期の値のそれぞれが格納される。製本アプリケーション１０４は、プリンタドライバ１０６に対して描画データを出力する場合に、このトンボ・タブ属性に格納されている設定内容に従って、必要な物理ページまたは論理ページにトンボの描画コマンドを出力することができる。
【０１２１】
なお、図３１では、ＵＩにおける用紙のシフトとトンボの印刷周期を連動させているが、これとは逆に、トンボの周期を入力し、その周期にあわせてシフトさせても本発明の効果は変わらない。或いは、ＵＩには周期を設定するコントロールを持たずに、ＭＩＳなどのシステムから後工程の制限値を入手し、その制限値を周期としても良い。
【０１２２】
次に、本実施形態に対応するトンボの印字位置決定処理について説明する。図３２は、製本アプリケーション１０４において実行される該トンボの印字位置を決定する処理の一例を示すフローチャートである。ステップＳ３２０１からステップＳ３２０５で全てのページに対して繰り返している。図１２のジョブチケット構成であれば、トンボ情報をのぞいた情報を作成する作業に相当する。
【０１２３】
まずステップＳ３２０２で、製本アプリケーション１０４は、原稿データを取得し、各ページの面付け処理を行う。この面付け処理の内容は周知のものであるので、詳細な説明はここでは省略するが、例えば、面付け方法として、「ペラ面付け」が選択されている場合には、ブック属性から面付け数を取得し、取得された面付け数に従って用紙サイズの領域を分割し、分割された各領域内に、ブック属性で指定されている仕上がりサイズの領域を確保し、各領域に同一ページの原稿を連続して配置する（図２０）。また、面付け方法として「中綴じ」が選択されている場合には、用紙サイズの片面に２面分の原稿データが配置される。各面の原稿データのサイズは、仕上がりサイズにあわせられ、綴じ位置の辺側にはドブ領域がつかずに、隣り合わせの原稿が配置される（図２１）。また、面付け方法として「４つ折り」が選択されている場合には、用紙サイズの片面に４面分の原稿データが配置される。ページ順は、前述したように、４つ折りした際のページ順が続くように各原稿ページの位置と向きが決定される。各面の原稿データのサイズは、仕上がりサイズに合わせら、必要に応じてミーリング幅が確保される（図２２）。この処理により、図１９や図２３等に示したように印刷対象ページの各用紙への割り当てが行われる。なお、ステップＳ３２０２では、面付け処理を行うとして説明したが、各原稿ページの配置位置を仮決定しておき、以下に説明するトンボの位置を決定後に、デスプーラ１０５により物理ページ単位に必要な各原稿ページの描画データとトンボの描画データが生成され、プリンタドライバ１０６に出力されることが望ましい。
【０１２４】
次に、ステップＳ３２０３では、製本アプリケーション１０４は、図２８ａ又は図２８ｂで示したＧＵＩにおいて、チェックボックス２８０１又は２８０２がチェックされているかどうかを判定する。もし、チェックされていない場合は（ステップＳ３２０３において「ＮＯ」）、ステップＳ３２０４において従来通り全てのページ及び用紙にトンボが印字されるように、トンボの描画位置を決定する。一方、チェックされていると判定された場合は（ステップＳ３２０３において「ＹＥＳ」）、製本アプリケーション１０４は、ステップＳ３２０６において現在処理しているページが先頭ページ（１ページ目）の原稿を含んでいるか否かを判定する。
ステップ３２０６では、ペラの面付けであれば先頭ページを含む面であるかに基づいて判定できる。また、中綴じ製本の面付けであれば先頭ページと最終ページを面付けする面であるかに基づいて判定できる。更に、４つ折りの面付けであれば、１，８，４，５ページ目が面付けされている面であるかに基づいて判定できる。このように、面付けに応じた判断方法に基づき判定が可能である。或いは単純に、物理ページ情報１２０４が保持する原稿ページ情報のリストを探索して先頭ページへのページデータリンクがあるかどうかで判定することも可能である。
【０１２５】
ステップＳ３２０６で先頭ページを含んでいないと判定された場合は（ステップＳ３２０６において「ＮＯ」）、ステップＳ３２１１に移行する。ステップＳ３２１１では、印字位置を制御する必要が無いセンタートンボや折りトンボだけを印字してから次の面へと処理を進める（ステップＳ３２０５）。一方、先頭ページを含んでいると判定された場合は（ステップＳ３２０６において「ＹＥＳ」）、ステップＳ３２０７に移行して面付けの印字方法を判定する。
【０１２６】
本実施形態では、面付けの印字方法として、ペラ、中綴じ、折り丁（４つ折）の３種類が有る場合を説明する。従って、ステップＳ３２０７では、印字方法がこの３種類のいずれであるかが判定される。
【０１２７】
もし、ペラの面付けであると判定された場合は（ステップＳ３２０７において「ペラ」）、ステップＳ３２０８に移行する。ステップＳ３２０８では、その面全体にトンボを描画すればよいので、ステップＳ３２０４と同様のトンボを物理ページ情報１２０４に設定する。
【０１２８】
一方、中綴じ製本であると判定された場合は（ステップＳ３２０７において「中綴じ」）、ステップＳ３２０９に移行する。ステップＳ３２０９では、後述する中綴じの１ページ目用のトンボ位置決定処理を実施し、決定されたトンボ情報を物理ページ情報１２０４に設定する。
【０１２９】
同様に折り丁であると判定された場合も（ステップＳ３２０７において「折り丁」）、ステップＳ３２１０に移行する。ステップＳ３２１０では、折丁の１ページ目用のトンボ位置決定処理を実施し、決定されたトンボ情報を物理ページ情報１２０４にと設定する。
【０１３０】
このように、描画データの生成に先立って、各物理ページ情報に、どの原稿ページが配置され、必要に応じてトンボ情報が記述されており、デスプーラ１０５は、この各物理ページ情報に従って、プリンタドライバ１０６に対して描画データの出力を行う。よって、プリンタドライバ１０６は、描画データに従って印刷データを生成するだけでよい。
【０１３１】
次に、図３３ａを参照して、図３２のステップＳ３２０９における中綴じ用のトンボ処理のうち、トンボ位置決定処理部分の詳細を説明する。
【０１３２】
まず、ステップＳ３３０１で、製本アプリケーション１０４は、開き方向が左右開きか上下開きであるかを判定する。もし、左右開きと判定された場合は（ステップＳ３３０１において「ＹＥＳ」）、ステップＳ３３０２へ移行し、上下開きと判定された場合は（ステップＳ３３０１において「ＮＯ」）ステップＳ３３０５へと進む。ステップＳ３３０２では、１ページ目の原稿ページ情報１２０５を調べて、１ページ目が用紙の右側と左側のどちらに配置されているかを判定する。もし、右側に配置されていると判定された場合は（ステップＳ３３０２において「ＹＥＳ」）、ステップＳ３３０３へ移行する。一方、左側に配置されていると判定された場合は（ステップＳ３３０２において「ＮＯ」）、ステップＳ３３０４に移行する。
【０１３３】
ここで、図３３ｂは左右開きの場合の断裁トンボの位置を一例として示している。左右開きの場合は原稿並べた外周の左上、右上、左下及び右下の４隅にそれぞれコーナートンボを配置するのが通常である。そこで、左側のページに接して左上、左下のコーナートンボ３３０１及び３３０３が、右側のページに接して右上、右下のコーナートンボ３３０２及び３３０４が、それぞれ配置されている。
【０１３４】
ステップＳ３３０２において、１ページ目が右側に配置されていると判定された場合には（ステップＳ３３０２において「ＹＥＳ」）、ステップＳ３３０３に移行する。ステップＳ３３０３では、１ページ目に接する右上と右下、即ち３３０２と３３０４の位置を断裁トンボ（ここではコーナートンボ）の描画位置として決定し、左側の断裁トンボ３３０１及び３３０３は描画位置としない。一方、１ページ目が左側に位置していると判定された場合は（ステップＳ３３０２において「ＮＯ」）、ステップＳ３３０４に移行する。ステップＳ３３０４では、左上と左下、即ち３３０１と３３０３のコーナートンボだけを断裁用のトンボとしての描画対象とする。
【０１３５】
ステップＳ３３０１において上下開きと判定され、ステップＳ３３０５した場合、ステップＳ３３０５では、１ページ目が上側に配置されるのか下側に配置されるのかが判定される。
【０１３６】
ここで、図３３ｃは上下開きの場合の断裁トンボの位置を一例として示している。上下開きの場合は原稿並べた外周の左上、右上、左下及び右下の４隅にそれぞれコーナートンボを配置するのが通常である。そこで、上側のページに接して左上、右上のコーナートンボ３３０１及び３３０２が、下側のページに接して左下、右下のコーナートンボ３３０３及び３３０４が、それぞれ配置されている。
【０１３７】
ステップＳ３３０５において、１ページ目が上側に配置されていると判定された場合には（ステップＳ３３０５において「ＹＥＳ」）、ステップＳ３３０６に移行する。ステップＳ３３０６では、１ページ目に接する左上と右上、即ち３３０１及び３３０２の位置をトンボの描画位置とし、下側のトンボ３３０３及び３３０４は描画位置としない。一方、１ページ目が下側に位置していると判定された場合は（ステップＳ３３０５において「ＮＯ」）、ステップＳ３３０７に移行する。ステップＳ３３０７では、左下と右下、即ち３３０３と３３０４のトンボだけを断裁用のトンボとしての描画対象とする。
【０１３８】
なお、上記フローチャートでは、コーナートンボの描画対象の決定手法について説明したが、折りトンボ及びセンタートンボも同様の判断によって、１ページ目については描画対象として決定する。以上のようにして決定されたトンボ位置に基づいて、中綴じ用のトンボ印字を行うことができる。
【０１３９】
次に、四つ折り面付けの場合は、トンボの描画位置はその他の面付けとは異なっており別の処理を行う必要がある。そこで、図３４ａを参照して、四つ折の場合に１ページ目だけのトンボ位置を決定するための処理の概略を説明する。
【０１４０】
四つ折では、後工程の折りの種類に応じて原稿ページの描画位置が異なるので、ステップＳ３４０１において、折り工程の種類の判定を行っている。ここで、折の種類は袋（最初の折り位置）になる辺が上側に来る天袋と下側に来る地袋とに分けられる。２つ目の折り位置は製本した時の綴じ位置になる。すなわち、右折り天袋の場合は、１ページ目は、１ページ目の向を基準として用紙の左下に配置される。右折り地袋の場合は、１ページ目は、１ページ目の向きを基準として用紙の左上に配置される。また、左折り天袋の場合は、１ページ目は、１ページ目の向きを基準として用紙の右下に配置される。左折り地袋の場合は、１ページ目は、１ページ目の向きを基準として用紙の右上に配置される。これは１ページ目の向きを基準とした場合の、印刷用紙上の１ページ目の配置位置である。本実施例の製本アプリケーション１０４では、印刷用紙に対して、1ページ目を左側、すなわち左上か左下の領域に配置するように面付けするものとする。そのため、左折り天袋の場合、1ページ目の向きを１８０度回転して、用紙の左上に配置し、左折り地袋の場合、1ページ目の向きを１８０度回転して、用紙の左上に配置することになる。
【０１４１】
図３４ｂは四つ折の場合のトンボ位置を示している。ページの配置は左折り天袋である。左上のページ（図の１ページ）には、断裁トンボとして、左上のコーナートンボ３４０１と左辺中央やや上の断裁トンボ３４０５が接している。この二つをあわせてここでは「左上トンボ」と呼ぶことにする。同様に、左下のページに接するコーナートンボ３４０３と左辺中央やや下の断裁トンボ３４０７を合わせて「左下トンボ」という。右上のページに接する右上のコーナートンボ３４０２と右辺中央やや上の断裁トンボ３４０６とを合わせて「右上トンボ」という。更に、右下のページに接する右下のコーナートンボ３４０４と右辺中央やや下の断裁トンボ３４０８とを合わせて「右下トンボ」と呼ぶ。
【０１４２】
ステップＳ３４０１における判定に基づき、折り方法が左折り天袋の場合は、１ページ目が１８０度回転されて左上の位置に来るため、ステップＳ３４０２では、断裁用のトンボの描画位置を左上トンボだけに決定する。また、折り方法が左折り地袋の場合は、１ページ目が１８０度回転されて左下の位置に来るため、ステップＳ３４０３においてトンボの描画位置を左下トンボだけに決定する。折り方法が右折り天袋の場合は、１ページ目が回転処理を伴わずに左上の位置に来るため、ステップＳ３４０４においてトンボの描画位置を左上トンボだけとする。折り方法が右折り地袋の場合は、１ページ目が回転処理を伴わずに、左下に来るため、ステップＳ３４０５において描画位置を左上トンボだけとする。
【０１４３】
なお、紙を１８０度回転させてもまったく同じ面付けになるため、同じ左折り天袋であっても１ページ目が右下に配置される場合がある。このフローチャートで示している例では、前段処理である面付けのレイアウト方法が１ページ目を左側に来るようなレイアウト方式を前提としている。
【０１４４】
この前提を用いない場合は、１ページ目の原稿ページ情報１２０５を調べて、上下反転して面付けしている（上側へ面付けされている事が分かる）か、或いは、同一面上の４つの原稿ページ情報を比較してどの位置にあるのかを判定する方法も可能である。
【０１４５】
図３４の処理フローでは面付け情報から１ページ目がどの位置に配置されるかを判定していたが、面付けされる座標を調べることで１ページ目がどの位置に配置されるかを判定する実施形態を採用してもよい。
【０１４６】
以下、図３５を参照して、座標から１ページ目の配置を判定する場合の処理の例を説明する。なお、座標から１ページ目の配置を判定する処理では、１ページ目の向きを基準として、用紙上の位置を決定することになるため、１ページ目は１８０度回転されないことになる。
【０１４７】
まず、ステップＳ３５０１では、同一面上に載る４つの原稿ページ情報１２０５から各ページの座標を取り出し比較する。左下を原点（０，０）として、右下が正となる座標系の場合を考える。このとき、１ページ目を配置する左上座標を（x1, y1）で表すこととする。また、４ページ目を配置する左上座標を(x4, y4)を表す。更に、５ページ目を配置する左上座標を(x5, y5)、８ページ目を配置する左上座標を(x8, y8)とする。このとき、3x1 - x4 - x5 - x8 の計算結果が正であれば１ページ目は右側に位置し、負であれば１ページ目は左側に位置する。また、3y1- y4 - y5 - y8 の計算結果が正であれば１ページ目は上側に位置し、負であれば下側に位置することになる。
【０１４８】
ステップＳ３５０２では、製本アプリケーション１０４は、計算結果の正負の組み合わせから１ページ目が用紙のどの位置に来るかを判定する。
【０１４９】
１ページ目が左上である場合は、ステップＳ３５０３においてトンボ位置を左上トンボとする。また、１ページ目が左下である場合は、ステップＳ３５０４にてトンボ位置を左下トンボとする。更に、右上である場合は、ステップＳ３５０５にて、トンボ位置を右上トンボとする。更に、右下である場合は、ステップＳ３５０６にてトンボ位置を右下トンボとする。
【０１５０】
なお、ステップＳ３５０１における判定は、数式に基づく計算結果の正負ではなく、用紙の中央座標と１ページ目の配置との関係で左上・左下・右上・右下のいずれかを判定する方法など、座標の判定方法は様々なバリエーションを適用しても構わない。
【０１５１】
また、図３２を参照して説明した処理では、１ページ目だけトンボを描画する処理であった。実際には、断裁機の積載量を超える枚数を印刷する場合もあるため、１ジョブで１つしかトンボを印字しない処理では、積載量を超えた部数の断裁ができなくなる場合がある。そこで、断裁範囲に収まるような周期でトンボを印字する実施形態の例を説明する。
【０１５２】
図３６は、周期的にトンボを印字する場合の処理概略を説明するフローチャートである。図中の太線で囲まれたステップは、図３２のステップとの差異を示している。なお、図３２と共通する処理ステップについては、同一の参照番号を付し、ここでの説明は省略する。
【０１５３】
まず、最初にステップＳ３６０１において、繰り返しの周期を決定する。先に説明した図３１のシフト機能と繰り返しの周期を一致させる実施形態の場合、シフト単位を設定するコントロール３１０１の指定がそのまま繰返し周期である。例えば、シフト単位３１０１として１００部と設定されれば、繰り返し周期が１００部と設定されることになる。次に、図３２と同様にステップＳ３２０１からステップＳ３６０５までの処理を、全ての面に対して繰り返す。
【０１５４】
ステップＳ３２０４では、先頭に対してトンボを印字する設定になっているかを判定するが、そのような設定になっている場合には（ステップＳ３２０４において「ＹＥＳ」）、ステップＳ３６０２に移行する。ステップＳ３６０２では、現在処理している用紙がステップＳ３６０１で設定された周期の先頭の用紙であるか否かを判定する。なお、両面印刷の場合、周期の先頭用紙でも表面裏面の２つの面があるため、先頭用紙の表面であるかどうかの判定も行う。
【０１５５】
ステップＳ３６０２において、トンボを印字する必要が無いと判断された場合（ステップＳ３６０２にて「ＮＯ」）、ステップＳ３２１１において折りトンボなどの制御対象外のトンボだけを印字する。一方、トンボを印字すべき面であると判断された場合は（ステップＳ３６０２において「ＹＥＳ」）、ステップＳ３２０７に移行する。
【０１５６】
なお、本実施形態では、後工程の目印となる最も外側に位置する部分へとトンボを印字することであるので、先頭ページではなく、最終ページに印字する形態であってもよい。
【０１５７】
図３７は、４つ折り製本の面付けで１６ページデータの場合に最終ページにトンボを印刷する処理を適用した場合の出力例を示す。２枚を折って重ねた状態を示している。最終ページの１６の位置にトンボが印字されており、他の部分にはトンボは印字されていない。この場合、図３２のステップＳ３２０６での判定は、「１ページ目であるか否か」ではなく、「最終ページが載るページであるか否か」となる。また、中綴じ製本や４つ折りの場合で４の倍数の原稿が無い場合は最終ページが載るはずの位置が空白で残ってしまう場合があるので、原稿の最終ページでトンボの要不要を判断するのではなく、面付け上の最終ページであるかどうかを判定基準とすべきである。また、ステップＳ３６０２の判定では、先頭用紙であるかどうかを判定するのではなく、周期の最終面であるかどうかの判定を行うこととなる。
【０１５８】
また、図３２又は図３６のステップＳ３２０８〜Ｓ３２１０でも、１ページ目ではなく、最終ページの位置を判定してトンボを描画する処理へと変更する必要がある。この場合でも、中綴じ製本や折り丁で原稿ページ数が４の倍数でない場合は、最終ページは一番外側に印字されない。よって、４の倍数分だけページがあったと仮定した場合の仮想的な最終ページが印字される位置へトンボを描画する処理へと変更する必要がある。
【０１５９】
尚、本実施形態で示したフローチャートにおいて、その前後は処理が未完成にならない限り入れ替え可能である。
【０１６０】
以上のように、本実施形態によれば、断裁トンボの印字を面付けに応じて制御することができる。これにより、印刷工程およびその後工程における位置ずれによって原稿データ以外の望まれざる描画要素が残ってしまうことがなくなり、高品位の成果物を得ることができる。
【０１６１】
［第２の実施形態］
上述の第１の実施形態では、断裁トンボの印字だけを面付けに応じて制御している例であった。これに対して、第２の実施形態では、センタートンボや折りトンボも含めて制御する点に特徴がある。
【０１６２】
図３８はペラ面付けの出力例である。先頭の１ページ目が印字されている面にだけコーナートンボ、センタートンボが印字されており、その他の面にはトンボは印字されていない。
【０１６３】
図３９は中綴じ製本の出力例である。先頭の１ページ目の周囲にのみ折りトンボ、センタートンボ、コーナートンボが印字されており、その横に配置されている８ページ目にはトンボは付いていない。また２枚目の用紙にはトンボは印字されない。
【０１６４】
図４０は四つ折りの出力例である。１ページ目の周囲にだけコーナートンボ、センタートンボが印字されている。折りトンボが全ての用紙に印字されているのは、折り工程は用紙単位で実施されるため、全ての用紙に必要なためである。
【０１６５】
以上の出力結果は、第１の実施形態で説明した図３２や図３６及びそれらに関連するフローとほぼ同様の処理により得られる。
【０１６６】
但し、図３３ａの処理フローでは、図３３ｂで示した３３０１、３３０２、３３０３、３３０４の各コーナートンボが制御の対象であった。しかし、本実施形態では図４１に示すように、制御対象は４つのグループとなる。まず、４１０１は、左辺に印字される二つのコーナートンボとセンタートンボ一つで構成される。更に、４１０２は、左側の原稿の上下に印字される２つのセンタートンボで構成される。４１０３、右側の原稿の上下に印字されるセンタートンボ２つで構成される。４１０４は、右辺に印字される二つのコーナートンボと一つのセンタートンボで構成される。
【０１６７】
同様に図３３ｃで示した３３１１、３３１２、３３１３及び３３１４の各コーナートンボは、本実施形態では図４２に示すように、４つのグループと交換される。まず、４２０１は、上辺に印字される二つのコーナートンボとセンタートンボ一つで構成される。、４２０２は、上側の原稿の左右に印字される２つのセンタートンボで構成される。４２０３は、下側の原稿の左右に印字されるセンタートンボ２つで構成される。更に、４２０４は、下辺に印字される二つのコーナートンボと一つのセンタートンボで構成される。
【０１６８】
また、図３４ａの処理フローで、図３４ｂで示した左上トンボ、右上トンボ、左下トンボ、右下トンボは、本実施形態では、以下のように構成される。
【０１６９】
即ち、図４３に示すように、左上トンボは、左上のコーナートンボと左上原稿（図では１ページ）に接する二つのセンタートンボと左辺中央やや上の断裁トンボからなる。また、右上トンボは、右上のコーナートンボと右上原稿（図では８ページ）に接する二つのセンタートンボと右辺中央やや上の断裁トンボからなる。左下トンボは、左下のコーナートンボと左下原稿（図では４ページ）に接する二つのセンタートンボと左辺中央やや下の断裁トンボからなる。更に、右下トンボは、右下のコーナートンボと右下原稿（図では５ページ）に接する二つのセンタートンボと右辺中央やや下の断裁トンボからなる。
【０１７０】
このように、本実施形態によれば、断裁トンボのみならず、センタートンボや折りトンボも含めて印字を制御して、必要なトンボのみを印字することができる。
【０１７１】
［その他の実施形態］
また、本発明は、複数の機器(例えばホストコンピュータ、インタフェース機器、リーダ、プリンタなど)から構成されるシステムに適用しても、一つの機器からなる装置（複写機、プリンタ、ファクシミリ装置など）に適用してもよい。
【０１７２】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【０１７３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１７４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１７５】
さらに、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図１】
2011170872.tif 000003
【図２】
2011170872.tif 000004
【図３】
2011170872.tif 000005
【図４】
2011170872.tif 000006
【図５】
2011170872.tif 000007
【図６】
2011170872.tif 000008
【図７】
2011170872.tif 000009
【図８】
2011170872.tif 000010
【図９】
2011170872.tif 000011
【図１０】
2011170872.tif 000012
【図１１】
2011170872.tif 000013
【図１２】
2011170872.tif 000014
【図１３】
2011170872.tif 000015
【図１４】
2011170872.tif 000016
【図１５】
2011170872.tif 000017
【図１６】
2011170872.tif 000018
【図１７】
2011170872.tif 000019
【図１８】
2011170872.tif 000020
【図１９】
2011170872.tif 000021
【図２０】
2011170872.tif 000022
【図２１】
2011170872.tif 000023
【図２２】
2011170872.tif 000024
【図２３】
2011170872.tif 000025
【図２４ａ】
2011170872.tif 000026
【図２４ｂ】
2011170872.tif 000027
【図２４ｃ】
2011170872.tif 000028
【図２５】
2011170872.tif 000029
【図２６】
2011170872.tif 000030
【図２７】
2011170872.tif 000031
【図２８ａ】
2011170872.tif 000032
【図２８ｂ】
2011170872.tif 000033
【図２９】
2011170872.tif 000034
【図３０】
2011170872.tif 000035
【図３１】
2011170872.tif 000036
【図３２】
2011170872.tif 000037
【図３３ａ】
2011170872.tif 000038
【図３３ｂ】
2011170872.tif 000039
【図３３ｃ】
2011170872.tif 000040
【図３４ａ】
2011170872.tif 000041
【図３４ｂ】
2011170872.tif 000042
【図３５】
2011170872.tif 000043
【図３６】
2011170872.tif 000044
【図３７】
2011170872.tif 000045
【図３８】
2011170872.tif 000046
【図３９】
2011170872.tif 000047
【図４０】
2011170872.tif 000048
【図４１】
2011170872.tif 000049
【図４２】
2011170872.tif 000050
【図４３】
2011170872.tif 000051